(57)【特許請求の範囲】
【請求項１】
濾過部を有する濾過装置の使用が可能であるか否か判断する試験方法であって、
線速度が前記濾過部の線速度よりも大きく、空間速度が前記濾過部の空間速度よりも大きく、かつ、前記濾過部の空間速度に対する空間速度の倍率が、前記濾過部の線速度に対する線速度の倍率よりも大きい試験装置用濾過部、及び、前記試験装置用濾過部を収容する筒状の試験装置用濾過器本体を具備する試験装置用濾過器と、前記試験装置用濾過器に送水する送水装置と、を具備する試験装置を用い、
前記送水装置により試験水を前記試験装置用濾過器本体に送水し、
前記試験装置用濾過部で濾過された前記試験水に基づいて前記濾過装置の使用が可能であるか否かを判断する、
ことを特徴とする試験方法。
【請求項２】
前記試験装置用濾過器の周壁に、前記試験水が流入する開口部を有する
ことを特徴とする請求項１に記載の試験方法。
【請求項３】
前記送水装置は、シリンジ、及び、ピストンを具備する
ことを特徴とする請求項１に記載の試験方法。
【発明の詳細な説明】
【技術分野】
【０００１】
本発明は、水に含有される鉄及びマンガンを除去する濾過装置の選定試験に用いられる試験方法に関する。
【背景技術】
【０００２】
井戸水等の原水を生活水や工業用水として用いる為に、原水を濾過材により濾過することで原水中に含まれる鉄やマンガンを除去する除鉄及び除マンガンが可能な濾過装置が知られている（例えば、特許文献１参照。）。このような濾過装置では、原水中に次亜塩素酸ナトリウムを注入し、原水に含有される鉄を凝集し、鉄を濾過材により捕集しやすくすることが行われている。
【０００３】
濾過装置は、機種ごとに濾過能力が異なるので、原水中の鉄やマンガンを生活水や工業用水として使用可能な濃度まで低下させる能力を有する濾過装置が、原水の性質に応じて選定される。
【先行技術文献】
【特許文献】
【０００４】
【特許文献１】特開２００９−１４８６９６号公報
【発明の概要】
【発明が解決しようとする課題】
【０００５】
上述のように、濾過装置の選定においては、以下のような問題があった。すなわち、原水中にコロイド状の二酸化珪素が含まれている場合、原水が空気に長時間触れると鉄の凝集化が阻害される場合がある。
【０００６】
この為、原水を原水の採取場所から離れた場所に搬送して濾過装置の選定試験を行うと、同じ濾過装置を用いた場合であっても、鉄の捕集量が異なることとなり、適切な濾過装置の選定を行うことができなくなる。
【０００７】
この為、濾過装置を原水の採取場所に搬送し、当該採取場所で選定試験が行われることも考えられる。しかしながら、濾過装置を、原水の採取場所に搬送すると、コストが高くなるとともに、適さない濾過装置であった場合は、当該濾過装置を戻し、別の濾過装置を搬送し、再度試験を行うことが必要となる。
【０００８】
また、生活水や工業用水として用いる原水の流量が多い場合では、大型の濾過装置が必要となり、さらに搬送コストが高くなる。
【０００９】
本発明は、濾過装置を安易に選定できる試験方法を提供することを目的とする。
【課題を解決するための手段】
【００１０】
本発明の一態様として、試験方法は、濾過部を有する濾過装置の使用が可能であるか否か判断する試験方法であって、線速度が前記濾過部の線速度よりも大きく、空間速度が前記濾過部の空間速度よりも大きく、かつ、前記濾過部の空間速度に対する空間速度の倍率が、前記濾過部の線速度に対する線速度の倍率よりも大きい試験装置用濾過部、及び、前記試験装置用濾過部を収容する筒状の試験装置用濾過器本体を具備する試験装置用濾過器と、前記試験装置用濾過器に送水する送水装置と、を具備する試験装置を用い、前記送水装置により試験水を前記試験装置用濾過器本体に送水し、前記試験装置用濾過部で濾過された前記試験水に基づいて前記濾過装置の使用が可能であるか否かを判断する。
【発明の効果】
【００１１】
本発明は、濾過装置を安易に選定できる試験方法を提供することができる。
【図面の簡単な説明】
【００１２】
【図１】本発明の一実施形態に係る試験装置を示す側面図。
【図２】同試験装置の試験装置用濾過器の濾過器本体が分解された状態を示す側面図。
【図３】同試験装置用濾過器、及び、同試験装置に対応する濾過装置の濾過器の処理水量に対する処理鉄濃度を示すグラフ。
【図４】同試験装置用濾過器が２つ直列に連結された状態を示す側面図。
【図５】表３に示す濾過装置、及び、表４に示す試験装置の試験装置用濾過器の処理水量に対する処理鉄濃度を示すグラフ。
【発明を実施するための形態】
【００１３】
本発明の一実施形態に係る試験装置１０を、図１，２，３，４，５を用いて説明する。図１は、試験装置１０を示す側面図である。試験装置１０は、ある特定の濾過装置が使用可能であるか否かを判断する試験に用いられる試験装置である。
【００１４】
この濾過装置は、井戸水等の原水を濾過することによって、当該原水中に含まれる鉄及びマンガンを取り除くことが可能となるように構成されている。この濾過装置は、例えば、濾過部を有する濾過器、井戸水等の原水を濾過器に送水するポンプ、及び、濾過器の一次側で原水に次亜塩素酸ナトリウムを注入する薬液ポンプ等を有している。濾過器は、濾過部、及び、濾過部を収容する濾過器本体を有している。濾過部は、例えば、濾過材が濾過器に収容されることにより、構成される。
【００１５】
この濾過装置の濾過器は、高さ１０２５ｍｍ、内径が２８１ｍｍとなる円筒形状であり、内部に、濾過材が３０Ｌ（リットル）収容されている。この濾過材により、濾過部が形成されている。
【００１６】
試験装置１０は、上述の特定の濾過装置に対して、濾過能力が若干劣るように構成されている。図１に示すように、試験装置１０は、試験装置用濾過部２１を有する試験装置用濾過器２０、試験装置用濾過器２０に原水を送水可能な送水装置４０、試験装置用濾過器２０を支持する支持器５０、及び、試験装置用濾過器２０で濾過された処理水を貯留するカップ６０を有している。
【００１７】
試験装置用濾過器２０は、上述の濾過装置の濾過器に対して、小型に構成されている。試験装置用濾過器２０は、試験装置用濾過部２１、及び、試験装置用濾過部２１を収容する試験装置用濾過器本体２２を有している。
【００１８】
試験装置用濾過部２１は、試験水中の鉄及びマンガンを捕集可能に形成される。試験装置用濾過部２１は、濾過材２１ａが試験装置用濾過器本体２２内に収容されることによって構成される。濾過材２１ａは、上述の特定の濾過装置に用いられる濾過材と、例えば同じものである。濾過材２１ａは、細かな粒形状である。濾過材２１ａは、搬送可能となるように、例えば袋に収容されており、試験装置１０の組み立ての際に袋を破り、試験装置用濾過器２０内に収容される。
【００１９】
試験装置用濾過部２１の線速度ＬＶは、上述の特定の濾過装置の濾過部の線速度ＬＶよりも大きい。また、試験装置用濾過部２１の空間速度ＳＶは、上述の濾過装置の濾過部の空間速度ＳＶよりも大きい。また、上述の濾過装置の濾過部の空間速度ＳＶに対する試験装置用濾過部２１の空間速度ＳＶの倍率は、上述の特定の濾過装置の濾過部の線速度ＬＶに対する試験装置用濾過部２１の線速度ＬＶの倍率よりも大きい。
【００２０】
ここで、線速度ＬＶとは、濾過材の単位面積当たりを流れる流量である。試験装置用濾過器本体２２内に収容された濾過材２１ａの断面積をＳ（ｍ２）とし、すなわち試験装置用濾過器本体２２の内周面によって規定される断面積をＳとし、試験装置用濾過器２０に送水される試験水の流量をＱ（ｍ３／ｈｒ）とすると、線速度ＬＶは、ＬＶ＝Ｑ／Ｓとなる。
【００２１】
空間速度ＳＶとは、濾過材の単位体積当たりを流れる流量である。試験装置用濾過器本体２２内に収容された濾過材２１ａの単位体積をＶ（ｍ３）とすると、空間速度ＳＶは、ＳＶ＝Ｑ／Ｖとなる。
【００２２】
本実施形態では、試験装置用濾過部２１の線速度ＬＶは、上述の特定の濾過装置の濾過器の線速度ＬＶに対して２．４倍である。また、試験装置用濾過器２０の空間速度ＳＶは、上述の特定の濾過装置の濾過器の空間速度ＳＶに対して４倍である。
【００２３】
試験装置１０は、線速度ＬＶを濾過装置の２．４倍とし、かつ、空間速度ＳＶを濾過装置の４倍とすることによって、上述のように、上述の濾過装置に対して若干劣る濾過能力を有するようになる。
【００２４】
試験装置用濾過器本体２２は、筒状に形成されており、内部に試験装置用濾過部２１を収容可能に形成されている。図２は、試験装置用濾過器本体２２が分解された状態を示す側面図である。図２に示すように、試験装置用濾過器本体２２は、内部に試験装置用濾過部２１すなわち濾過材２１ａを収容し、かつ、取り出し可能に形成されている。具体的には、試験装置用濾過器本体２２は、例えば、軸方向に２つに分割可能に形成されている。また、試験装置用濾過器本体２２は、試験装置用濾過器本体２２の一次側に、試験装置用濾過部２１の積層方向に交差する方向に沿って、後述する試験水が送水されるよう、形成されている。
【００２５】
具体的には、試験装置用濾過器本体２２は、試験装置用濾過部２１を収容する第１の部分２３、送水装置４０が連結される第２の部分２４、及び、第１の部分２３と第２の部分２４とを連結する連結機構２５を有している。
【００２６】
第１の部分２３は、筒状の第１の本体部２６、第１の本体部２６の一端部に設けられるフィルタ２８、第１の本体部２６の一端に連結される第１の弁装置２９を有している。
【００２７】
第１の本体部２６は、内部に試験装置用濾過部２１を収容可能に筒状に形成されている。第１の本体部２６は、例えば透明な部材から形成されている。第１の本体部２６は、内径に対する軸方向の長さの比率が、上述の特定の濾過装置の濾過器本体の内径に対する濾過部の軸方向の長さの比率よりも大きい。すなわち、第１の本体部２６は、上述の濾過装置の濾過器に対して、細長く形成されている。
【００２８】
フィルタ２８は、試験装置用濾過部２１が載置可能であり、かつ、試験水が通過可能に形成されている。具体的には、フィルタ２８は、濾過材２１ａが通過せず、かつ、原水が通過可能に形成されている。フィルタ２８は、例えば、濾過材２１ａの粒径よりも目の細かい金網である。
【００２９】
第１の弁装置２９は、開閉弁であり、例えば手動で開閉動作可能に構成されている。
【００３０】
第２の部分２４は、第２の本体部３０、第２の本体部３０に設けられる第２の弁装置３１、及び、第３の弁装置３２を有している。
【００３１】
第２の本体部３０は、第２の本体部３０の一次側に、第１の本体部２６の軸方向に交差する方向に沿って、試験水が送水されるよう、形成されている。第２の本体部３０は、例えば、Ｔ字継ぎ手が用いられる。
【００３２】
第２の本体部３０は、３つのポートを有している。具体的には、第２の本体部３０の互いに対向する第１のポート３０ａ及び第２のポート３０ｂと、第３のポート３０ｃと、を有している。
【００３３】
第１のポート３０ａは、連結機構２５により、第１の本体部２６の開口部に連結される。
【００３４】
第２の弁装置３１は、第２のポート３０ｂに連結されている。第２の弁装置３１は、排気弁装置である。
【００３５】
第３の弁装置３２は、第３のポート３０ｃに連結されている。第３の弁装置３２は、開閉弁であり、例えば手動で開閉を切り替え可能に構成されている。
【００３６】
連結機構２５は、第１の本体部２６の開口部に設けられる連結部、及び、第２の本体部３０の第１のポート３０ａに設けられ、連結部に連結可能な被連結部を有しており、手動で連結部と被連結部に連結可能に構成されている。
【００３７】
連結機構２５は、例えば、ユニオン継ぎ手が用いられている。連結機構２５により第１の本体部２６と第２の本体部３０とが連結されると、第１の本体部２６内と第２の本体部３０内とが連通する。
【００３８】
送水装置４０は、原水を送水可能に形成されている。また、送水装置４０は、例えば、手動で操作可能に構成されている。送水装置４０は、例えば、シリンジ４１、及び、ピストン４２を有している。シリンジ４１の吐出口には、雄ねじが形成されている。
【００３９】
送水装置４０は、第３の弁装置３２の一次側に連結されている。本実施形態では、送水装置４０は、例えば、管部材４３を介して、第３の弁装置３２の一次側に連結されている。管部材４３の一端部が第３の弁装置３２の一次側に固定されている。
【００４０】
管部材４３は、例えば可撓性を有している。管部材４３の他端部は、送水装置４０が固定可能に形成されている。管部材４３の他端部は、送水装置４０のシリンジ４１の雄ねじが螺合可能な雌ねじが形成されている。
【００４１】
支持器５０は、カップ６０を載置可能な架台５１、架台５１に固定される支持軸５２、及び、支持軸５２に設けられ、試験装置用濾過器本体２２を保持する保持部５３を有している。
【００４２】
架台５１は、例えば上面が平面状に形成されている。架台５１は、貫通孔５６が形成されている。貫通孔５６は、架台５１を貫通している。
【００４３】
支持軸５２は、その一端部が貫通孔５６を挿通可能に形成されている。支持軸５２の一端部には、座面、及び、雄ねじが形成されている。貫通孔５６を通って架台５１の裏面に突出した支持軸５２にナットが螺合することによって、支持軸５２が架台５１に固定される。
【００４４】
保持部５３は、例えば、試験装置用濾過器本体２２を挟持可能なクランプ５４、及び、クランプ５４を支持軸５２に固定するムッフ５５を有している。保持部５３は、例えば、一対用いられる。クランプ５４は、支持軸５２に、互いに離間して固定される。
【００４５】
このように構成された特定の濾過装置の濾過器の、処理する流量Ｑに対する、線速度ＬＶ、空間速度ＳＶ、及び、処理水鉄濃度の関係を、以下の表１に示す。ここでいう流量は、原水に薬液である次亜塩素酸ナトリウムが注入された試験水の流量である。また、上述の試験装置用濾過器２０が処理する流量Ｑに対する、線速度ＬＶ、空間速度ＳＶ、及び、処理水鉄濃度の関係を、以下の表２に示す。ここでいう流量は、濾過装置が実際に処理する、原水に薬液である次亜塩素酸ナトリウムが注入されたものの流量である。
【００４６】
【表１】
0006639160.tif 000002
【００４７】
【表２】
0006639160.tif 000003
【００４８】
試験装置用濾過器２０に流入する流量３０ｍｌ／ｍｉｎは、濾過装置の濾過器の処理流量６．２５Ｌ／ｍｉｎに相当する。試験装置用濾過器２０に流入する流量６０ｍｌ／ｍｉｎは、濾過装置の濾過器に流入する１２．５ｌ／ｍｉｎに相当する。試験装置用濾過器２０に流入する流量１２０ｍｌ／ｍｉｎは、濾過装置の濾過器に流入する２５ｌ／ｍｉｎに相当する。試験装置用濾過器２０に流入する流量１９２ｍｌ／ｍｉｎは、濾過装置の濾過器に流入する４０ｌ／ｍｉｎに相当する。
【００４９】
また、図３は、試験装置用濾過器２０、及び、上述の特定の濾過装置の濾過器の処理水量に対する処理鉄濃度を示すグラフである。ここで、処理鉄濃度とは、濾過された試験水を処理水とし、処理水内の鉄の濃度である。
【００５０】
表１，２に示すように、試験装置用濾過器２０の線速度ＬＶは、上述の濾過装置の濾過器の線速度ＬＶの２．４倍であり、試験装置用濾過器２０の空間速度ＳＶは、上述の濾過装置の濾過器の空間速度ＳＶの４倍である。また、表１，２、及び、図３に示すように、試験装置用濾過器２０の処理能力は、上述の濾過装置の濾過器の処理能力に対して、若干劣ることがわかる。
【００５１】
次に、試験装置１０の組み立て手順の一例を説明する。
【００５２】
まず、架台５１に支持軸５２を固定する。具体的には、支持軸５２の一端部を架台５１の表面側から貫通孔５６に挿入する。架台５１の裏面に突出した支持軸５２の一端部の雄ねじにナットを螺合することにより、支持軸５２を架台５１に固定する。
【００５３】
次に、保持部５３を支持軸５２に固定する。具体的には、ムッフ５５により、保持部５３を支持軸５２に固定する。
【００５４】
次に、試験装置用濾過器２０の第１の部分２３を、第１の弁装置２９が重力方向下側に位置するように、両保持部５３のクランプ５４に保持させる。
【００５５】
次に、濾過材２１ａが収容される袋を破り、第１の本体部２６の開口部から濾過材２１ａを収容する。濾過材２１ａの収容作業には、例えば漏斗を用いても良い。収容された濾過材２１ａは、フィルタ２８によって堰き止められる為、第１の本体部２６内に保持される。濾過材２１ａが第１の本体部２６内に収容されることにより、濾過材２１ａが積層され、試験装置用濾過部２１が形成される。
【００５６】
次に、連結機構２５により、第１の部分２３に第２の部分２４を連結する。
【００５７】
次に、カップ６０を、第１の弁装置２９の下方に配置する。次に、濾過材２１ａを洗浄する。洗浄作業としては、送水装置４０により試験装置用濾過器２０に水道水を送水し、水道水により濾過材２１ａを洗浄する。
【００５８】
以上の工程により、試験装置１０の組み立て作業が完了する。
【００５９】
次に、試験装置１０を用いた試験の一例を説明する。まず、原水に薬液を注入して試験水を作成する。次に、送水装置４０に試験水を充填する。次に、弁装置２９，３２を開く。次に、送水装置４０を管部材３５に連結する。
【００６０】
次に、送水装置４０により、試験装置用濾過器２０に、上述の濾過装置が処理する流量に対応する流量の試験水を送水する。作業者は、濾過装置が処理する原水の流量に対応する流量を押し出す為に、予め設定された時間でピストン４２を押しきるように、ピストン４２を操作する。
【００６１】
ピストン４２を操作するときは、送水装置４０を、試験装置用濾過器２０よりも高い位置で操作することが好ましい。押し出された試験水は、管部材３５を通って第２の本体部３０の第３のポート３０ｃから第２の本体部３０内に流入する。
【００６２】
作業者のピストン４２の操作によっては、試験水が勢いよく流れる状態と、流れの勢いが小さい状態とが生じえる。これは、上述のように、作業者は、予め設定された時間内でピストン４２を押し切るようにピストン４２を操作する為であり、ピストン４２の押し始めから押し切るまでの間のピストン４２の押し出し速度にばらつきが生じえる為である。
【００６３】
第３のポート３０ｃの二次側では、試験水の流れの勢いが送水の勢いが強い場合は、流入した試験水は、第２の本体部３０の内周面に衝突し、飛散する。飛散した試験水は、第１の本体部２６内の濾過材２１ａ上に降り注ぐ。
【００６４】
試験水の流れの勢いが小さく、第３のポート３０ｃの二次側において試験水が第２の本体部３０の内面に衝突しない場合では、試験水は、第２の本体部３０の濾過材２１ａに到達するまでに広がり、濾過材２１ａ上に降り注ぐ。
【００６５】
試験水は、試験装置用濾過部２１を通過することによって、濾過材２１ａにより鉄及びマンガンが捕集される処理水となる。試験装置用濾過部２１によって濾過された処理水は、第１の弁装置２９を通ってカップ６０内に排出される。
【００６６】
次ぎに、カップ６０内の処理水を採取して、処理水内の鉄濃度及びマンガン濃度を測定する。測定の結果、鉄濃度及びマンガン濃度が、処理水を使用可能な濃度まで低下している場合は、上述の特定の濾過装置は、原水を濾過する十分な濾過能力を有すると判断される。
【００６７】
すなわち、試験装置用濾過器２０の濾過能力は、上述の濾過装置の濾過器の濾過能力に対して、若干劣るように設定されている。この為、試験装置用濾過器２０による濾過能力が十分であると判断されると、上述の濾過装置も十分な濾過能力を有すると判断可能となる。
【００６８】
ここで、使用可能な濃度とは、処理水の使用用途によって決定される値である。例えば、処理水を生活水として用いる場合では、処理水中の鉄濃度及びマンガン濃度が生活水として使用可能な濃度である。処理水を工業用水として用いる場合では、処理水中の鉄濃度及びマンガン濃度が工業用水として使用可能な濃度である。
【００６９】
また、測定の結果、鉄濃度及びマンガン濃度が使用可能濃度を越えると、濾過装置は、濾過能力が足りないと判断される。
【００７０】
試験が終了すると、例えば組み立て作業の逆の手順により、試験装置１０を解体する。第１の本体部２６より取り出された濾過材２１ａは、水道水で洗浄することにより、例えば、所定回再利用可能である。所定回数とは、濾過材２１ａが、鉄及びマンガンの捕集能力が維持される回数である。
【００７１】
このように構成された試験装置１０では、試験装置用濾過部２１の線速度ＬＶを上述の濾過装置の濾過部の線速度ＬＶよりも大きくし、試験装置１０の試験装置用濾過部２１の空間速度ＳＶを上述の濾過装置の濾過部の空間速度ＳＶよりも大きくし、かつ、上述の濾過装置の濾過部の線速度ＬＶに対する試験装置用濾過器２０の試験装置用濾過部２１の線速度ＬＶの倍率よりも、上述の濾過装置の濾過器の濾過部の空間速度ＳＶに対する試験装置用濾過器２０の試験装置用濾過部２１の空間速度ＳＶの倍率を大きくすることによって、試験装置用濾過部２１を通過する試験水の水平面での流速のばらつきを小さくできる。換言すると、第１の部分２３の断面積の中央部分を流れる試験水の流速と、第１の部分２３の周面の近くを流れる試験水の流速との差を小さくできる。さらに、第１の部分２３の断面積を小さくすることによって、試験水が濾過材２１ａに均一に降り注ぐようになる。
【００７２】
この為、試験装置用濾過部２１すなわち濾過材２１ａを効率よく使用することができるので、濾過材２１ａの量を少なくすることができる。濾過材２１ａの量を少なくすることができるので、試験装置用濾過器２０を小型化することができる。
【００７３】
上述の濾過装置の濾過部の線速度及び空間速度を維持したまま小型化した試験用の濾過器を作成した場合、当該試験用の濾過器内での試験水の流れは、実際の濾過装置の濾過器と同じ流れとなるが、実際に使用されない濾過材も含むため、小型化にも限度がある。
【００７４】
しかしながら、試験装置用濾過器２０は、濾過材２１ａを有効に利用することにより、上述の濾過装置を単に小型化するよりもさらに小型化できるので、試験装置１０の簡単に搬送することができる。
【００７５】
さらに、試験装置用濾過器２０を複数直列に接続することによって、上述の濾過装置とは異なる濾過装置を再現することができる。言い換えると、試験装置用濾過器２０は、複数直列に連結可能に形成されている。図４は、一例として、直列に連結された２つの試験装置用濾過器２０の側面を示している。図４に示すように、一次側の試験装置１０の第１の弁装置２９と、二次側の試験装置１０の第３の弁装置３２とを、例えば管部材７０により連結する。
【００７６】
試験装置用濾過器２０の濾過能力が不足であると判断された場合、試験装置用濾過器２０を複数直列に接続して試験を行うことができる。複数の試験装置用濾過器２０を直列したもの濾過能力が十分であると判断されると、この複数個の試験装置用濾過器２０が再現する濾過装置が適切な濾過装置であると判断できる。
【００７７】
このように、試験装置を簡単に搬送できるとともに、複数の試験装置用濾過器２０を連結することにより複数の濾過装置の試験を行うことができるので、濾過装置を安易に選定することができる。
【００７８】
また、本実施形態のように、濾過材２１ａの積層方向に対して交差する方向から試験水を試験装置用濾過器２０内に流入することによって、濾過材２１ａに均等に試験水を供給することができるので、濾過材２１ａをより有効に使用することができる。この為、試験装置用濾過器２０をより一層小型化することができる
また、本実施形態では、一例として、上述の特定の濾過装置の濾過器に対して濾過能力が若干劣る試験装置用濾過器２０が用いられている。これは、濾過装置の選定に際し、より安全性を高める為である。すなわち、試験装置１０において十分な処理能力があると判断された場合、濾過装置は、それ以上の処理能力を有することとなる為、濾過装置の選定の安全性が高まる。
【００７９】
また、試験装置用濾過部２１に対して高い位置から送水することにより、試験装置用濾過部２１に対する試験水の位置エネルギを利用することができるので、ピストン４２の操作に必要な力を小さくすることができる。
【００８０】
また、送水装置４０を手動で操作可能であることによって、電源がない場所であっても、試験を行うことができる。
【００８１】
また、試験装置用濾過器２０は、試験装置用濾過器本体２２を共通して用い、濾過材２１ａの量を調整することにより試験装置用濾過部２１の濾過能力を調整することができる。このように、試験装置１０は、濾過材２１ａの量を調整するだけで、複数の濾過装置の試験装置となることが可能である。
【００８２】
本発明は、本実施形態に限定されない。送水装置４０は、一例として、シリンジ４１及びピストン４２を有している。そして、作業者がピストン４２を操作している。他の例としては、ピストン４２を自動で操作可能な装置が用いられてもよい。または、試験水を自動で送水可能な送水装置が用いられてもよい。
【００８３】
また、以下の表３は、上述の特定の濾過装置とは異なる濾過装置の、処理流量に対する線速度ＬＶ及び空間速度ＳＶと、処理鉄濃度を示す表である。表３に表される濾過装置の濾過器は、高さが１２１１．３ｍｍ、内径が５５０ｍｍの円筒形状であり、内部に１５０Ｌ（リットル）の濾過材が収容されている。この濾過材により濾過部が形成されている。また、以下の表４は、表３に示される濾過装置に対する試験装置の濾過器の、処理流量に対する線速度ＬＶ及び空間速度ＳＶを示す表である。
【００８４】
【表３】
0006639160.tif 000004
【００８５】
【表４】
0006639160.tif 000005
【００８６】
表４に示す試験装置用濾過器に流入する流量６０ｍｌ／ｍｉｎは、表３に示す濾過装置の濾過器に流入する５０ｌ／ｍｉｎに相当する。表４に示す試験装置用濾過器に流入する流量９０ｍｌ／ｍｉｎは、表３に示す濾過装置の濾過器に流入する７５ｌ／ｍｉｎに相当する。表４に示す試験装置用濾過器に流入する流量１２０ｍｌ／ｍｉｎは、表３に示す濾過装置の濾過器に流入する１００ｌ／ｍｉｎに相当する。
【００８７】
図５は、表３に示す濾過装置及び表４に示す試験装置の濾過器の処理水量に対する処理鉄濃度を示すグラフである。
【００８８】
表３，４に示すように、表４に示す試験機の濾過部の線速度ＬＶは、表３に示す濾過器の濾過部の線速度ＬＶの２．３倍であり、表４に示す試験機の濾過部の空間速度ＳＶは、表３に示す濾過器の空間速度ＳＶの５倍である。なお、表４に示す試験用濾過装置は、濾過装置に対して同等の濾過能力を有するように構成されている。
【００８９】
このように、他の試験機においても、試験機の濾過部の線速度ＬＶを濾過装置の濾過部の線速度ＬＶよりも大きくし、試験機の濾過部の空間速度ＳＶを濾過装置の濾過部の空間速度ＳＶよりも大きくし、かつ、濾過装置の濾過部の線速度ＬＶに対する試験装置用濾過器２０の濾過部の線速度ＬＶの倍率よりも、上述の濾過装置の濾過器の濾過部の空間速度ＳＶに対する試験機の濾過部の空間速度ＳＶの倍率が大きくすることによって、図５に示すように、濾過装置と同等の濾過能力を有しつつ、試験機を小型化することができる。
【００９０】
この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。
以下に、本願出願の当初の特許請求の範囲に記載された発明と同等の記載を付記する。
［１］
濾過部を有する濾過装置用の試験装置であって、
試験水を濾過する試験装置用濾過部、及び、前記試験装置用濾過部を収容する筒状の試験装置用濾過器本体を具備する試験装置用濾過器と、
前記試験装置用濾過器に送水する送水装置と、
を具備し、
前記試験装置用濾過部の線速度が前記濾過部の線速度よりも大きく、前記試験装置用濾過部の空間速度が前記濾過部の空間速度よりも大きく、かつ、前記濾過部の空間速度に対する前記試験装置用濾過部の空間速度の倍率が、前記濾過部の線速度に対する前記試験装置用濾過部の線速度の倍率よりも大きい
ことを特徴とする試験装置。
［２］
前記試験装置用濾過器は、複数直列に連結可能に構成される
ことを特徴とする［１］に記載の試験装置。
［３］
前記試験装置用濾過器の周壁に、前記試験水が流入する開口部を有する
ことを特徴とする［１］に記載の試験装置。
［４］
前記送水装置は、シリンジ、及び、ピストンを具備する
ことを特徴とする［１］に記載の試験装置。
【符号の説明】
【００９１】
１０…試験装置、２０…試験装置用濾過器、２１…試験装置用濾過部、２１ａ…濾過材、２２…濾過器本体、４０…送水装置、４１…シリンジ、４２…ピストン、５０…支持器、６０…カップ。
【図１】
0006639160.tif 000006
【図２】
0006639160.tif 000007
【図３】
0006639160.tif 000008
【図４】
0006639160.tif 000009
【図５】
0006639160.tif 000010